(57)【要約】  本発明は、スクリーン印刷で使用するための面状のスクリーン材料（１）であって、織られたスクリーン構造体を形成する、互いに角度を成して配置されかつ交差点（１０）で交差し合った複数のストランド（５，５.１，５.２）を備え、該ストランド（５，５.１，５.２）が、前記交差点（１０）のところでアンダカット（１１）を形成していて、その他の個所では複数の開口を備えたスクリーン構造体を形成しており、かつ少なくともその表面で、電気メッキプロセスでストランド（５，５.１，５.２）上に析出された金属から成っている、面状のスクリーン材料（１）に関する。本発明によれば、ストランド（５，５.１，５.２）の交差点の範囲で、ストランド（５，５.１，５.２）のアンダカット（１１）が、少なくとも部分的に、電気メッキプロセスで被着された金属から成る補填部（１２）を有している。このことは、特に丸み付け部（１２.１）を有する内縁移行部を形成することができる。補填部により、スクリーン材料の特性は、特に安定性、流通量およびクリーニング可能性に関して改善される。本発明は、このような面状のスクリーン材料（１）から成るロータリスクリーン印刷用のスクリーン（４）にも関する。
2015527215.tif 000002
【特許請求の範囲】
【請求項１】
スクリーン印刷、特にロータリスクリーン印刷で使用するための面状のスクリーン材料（１）であって、織られたスクリーン構造体を形成する、互いに角度を成して配置されかつ交差点（１０）で交差し合った複数のストランド（５，５.１，５.２）を備え、該ストランド（５，５.１，５.２）が、前記交差点（１０）のところでアンダカット（１１）を形成しており、前記ストランド（５，５.１，５.２）が、複数の開口を備えたスクリーン構造体を形成しており、前記ストランド（５，５.１，５.２）の表面が、電気メッキプロセスで前記ストランド（５，５.１，５.２）上に析出された金属（３）、特にニッケルから成るほぼ一定の厚さの被覆体を有している、面状のスクリーン材料（１）において、
前記ストランド（５，５.１，５.２）の前記交差点の範囲で、前記ストランド（５，５.１，５.２）のアンダカット（１１）が、前記被覆体に対して付加的に、少なくとも部分的に、電気メッキプロセスで被着された金属から成る補填部（１２）を有しており、特に該補填部（１２）はそれぞれその表面に、シャープなエッジおよび面取り部を有していないことを特徴とする、面状のスクリーン材料。
【請求項２】
各補填部（１２）が、丸み付け部（１２.１）を備えた内縁移行部を形成している、請求項１記載の面状のスクリーン材料。
【請求項３】
前記補填部（１２）が、少なくとも１μｍまたは前記ストランド（５，５.１，５.２）の平均半径（２６，２７）の少なくとも１／１０の半径（２５）を有している、請求項１または２記載の面状のスクリーン材料。
【請求項４】
当該スクリーン材料（１）の表面に沿った曲線が、当該スクリーン材料（１）に対して直角でかつ前記ストランド（５，５.１，５.２）のうちの１つを通る切断平面（ｘｚ，ｙｚ）で見て、滑らかな曲線を描いている、請求項１から３までのいずれか１項記載の面状のスクリーン材料。
【請求項５】
当該スクリーン材料（１）の表面に沿った曲線が、当該スクリーン材料（１）に対して平行でかつ前記ストランド（５，５.１，５.２）の全てを通る切断平面（ｘｙ）で見て、滑らかな曲線を描いている、請求項１から４までのいずれか１項記載の面状のスクリーン材料。
【請求項６】
当該スクリーン材料（１）の表面に沿った前記曲線が、２つの交差点（１０）の間に２つの変曲点（２２）を有しており、該変曲点（２２）が前記補填部（１２）を画定している、請求項４または５記載の面状のスクリーン材料。
【請求項７】
前記変曲点（２２）が、少なくとも１μｍでかつ最大でもピッチ（２１）の相互間隔（２３）、特に１０〜２０μｍの相互間隔（２３）を有している、請求項６記載の面状のスクリーン材料。
【請求項８】
前記アンダカット（１１）が、当該スクリーン材料（１）の上側（２８）および／または下側（２９）に、かつ／または当該スクリーン材料（１）の平面（ｘｙ）に、それぞれ１つの補填部（１２）を有している、請求項１から７までのいずれか１項記載の面状のスクリーン材料。
【請求項９】
前記補填部（１２）が放物線形に形成されており、前記補填部（１２）が、それぞれ１つのアンダカットを有する（ｉ）、請求項１記載の面状のスクリーン材料。
【請求項１０】
前記補填部（１２）の表面が、当該スクリーン材料（１）の上側（２８）および／または下側（２９）で、それぞれほぼ同一の平面（３０）に位置しており（ｉｉ）、かつ／または当該スクリーン材料（１）が、カレンダ加工プロセスで薄くされたスクリーン構造体（１）を有している、請求項１から９までのいずれか１項記載の面状のスクリーン材料。
【請求項１１】
請求項１から１０までのいずれか１項記載の面状のスクリーン材料（１）から成る、ロータリスクリーン印刷用のスクリーン（４）において、当該スクリーン（４）が、円筒状のスリーブの形を有しており、前記面状のスクリーン材料（１）が、特に片側でポリマ層（２）、たとえばフォトポリマ層で被覆されていることを特徴とする、ロータリスクリーン印刷用のスクリーン。
【発明の詳細な説明】
【技術分野】
【０００１】
本発明は、請求項１の前提部に記載の特徴を有するスクリーン材料および請求項１１の前提部に記載の特徴を有するスクリーンに関する。
【０００２】
背景技術
スクリーン（紗）および織物の工業的な使用は、種々の専門分野から知られている。濾過の分野における使用の場合には、正方形のメッシュ形状が汎用の構成である。印刷使用のためには、このようなメッシュ形状が転用されている。いつでも入手可能なフォト層と、公知の塗布方法とを用いると、合理的な画像解像度が、多数の「支持部」を用いた場合にしか達成され得ない。それゆえに、高いメッシュ数を有する織物がますます使用されるようになっている。
【０００３】
電子印刷の場合には、できるだけ薄いスクリーンもしくはできるだけ細い線材を備えた織物が使用され、これによりペーストの良好な通流が保証されるとともに、極めて精密な画像モチーフが可能となる。
【０００４】
太陽電池コーティングの場合には、たとえば、太陽電池のできるだけ少ない遮蔽しか有しない電流フィンガとしての導体路を塗布し、これにより太陽電池の高い効率を確保するために、高いペースト塗布および精密でかつ微細な画像解像度が要求される。
【０００５】
電子印刷のために使用されるスクリーンもしくは織物製品は、極めて高価であり、かつ加工に敏感であるので、このようなスクリーンもしくは織物製品は、ロータリ式（回転式）のスクリーン印刷用のスクリーン印刷版を製造するためには不適当である。平面スクリーン印刷においてはスクリーン紗が２つの次元で張設されるが、ロータリスクリーン印刷においてはスクリーン紗が一方の方向でしか、つまり胴長手方向軸線の方向でしか張設され得ないことも、適正欠如の要因である。
【０００６】
ロータリ式のスクリーン印刷の場合には、スクリーンの回転時にスキージが当て付けられた状態でスキージ胸部の手前に発生する流体動力学的な圧力によってインキがスクリーンに通される。構造上の制約から、開放型または半開放型のスキージシステムしか使用され得ないので、流体動力学的な圧力には多くの要因、たとえば粘度、充填量および回転速度によって影響を与えられる。回転速度の増大またはインキ量の増大により、流体動力学的な圧力は容易に増幅され得る。このようなロータリスクリーン印刷装置は、たとえば国際公開第９９／１９１４６号パンフレットに記載されている。
【０００７】
スクリーン材料用の基本構造体としては、公知先行技術においては、リネンバインディングを有する特殊鋼織物が使用されている。スクリーン開口と接触面と織物厚さとの所定の割合が適当であることが判った。構造体の厚さ、すなわち織物厚さ（カレンダ加工前の初期寸法）は、線材太さの約２倍に相当する。基本構造体はカレンダ加工プロセス（カレンダプロセスとも呼ばれる）における別のステップにおいて加工され、こうして所望の粗織物厚さにもたらされる。また、こうしてスクリーンの光沢向上、ひいてはスクリーンおよびスキージの摩耗低減が達成される。引き続き行われるニッケルメッキ過程において、織物は耐摩耗性向上の目的で一般に均一に、つまり織物糸の軸線に対して対称的に補強され、交差点の範囲における支持点も増大される。しかし、織物の面に対して直角な１方向でのみの意図的な析出のための方法も知られている。すなわち、欧州特許出願公開第００４９０２２号明細書によれば、流通速度を調整しかつ化学的な添加剤を添加することにより、意図的な金属沈積が達成される。たとえば欧州特許出願公開第０１８２１９５号明細書には、このようなスクリーン材料を製造するための全体方法が記載されている。
【０００８】
公知先行技術に基づき、たとえばロータリスクリーン印刷用のステンレス鋼織物が、電気メッキ法によって金属被覆されることが知られている。ニッケルメッキに関する公知先行技術は、このときに好ましくはスルファミン酸塩−ニッケル浴または化学的ニッケル法（外部電流なし）が使用されることである。これらの方法の利点は、全ての空間的な平面における均一な幾何学的層分布である。これらの方法の欠点は、交差点に「角度弱部」（以降「アンダカット」とも呼ぶ）が生じることにある。アンダカットは、たとえばクリーニングプロセスにおける流れ特性および印刷中のインキの流れ特性や、金属被覆された織物の安定性にも不都合な影響を与えるという性質を有する。
【０００９】
さらに、多重ニッケル層が耐食層としてかつ／または装飾目的でワットの硫酸ニッケル電解質を用いて析出されることが知られている。この方法は、種々異なる分野における種々様々な構成部分を仕上げるために幅広い使用スペクトルにおいて使用され得る。
【００１０】
ワットの硫酸ニッケル浴には、種々の添加剤、好適には有機添加剤が添加される。これらの添加剤は、一級（一次）および二級（二次）の光沢添加剤（光沢担体）に分類される。二次光沢担体の特性をも兼ね備えることのできる一次光沢担体は、できるだけ大きな電流密度領域にわたり固有の基本光沢を有する均質な金属析出物を得るために使用される。二次光沢担体は、均し特性（平滑化特性）および光沢度に大きな影響を与える。
【００１１】
さらに、一次光沢担体および二次光沢担体の組合せは、析出されたニッケル層に対してさらに別の作用を有している：光沢、延性、硬度、均し特性および析出された層の相互の電気化学的なポテンシャル。
【００１２】
市場で入手可能な有機添加剤の混合物は、多数の技術的な要求を満たさなければならない。このような混合物およびニッケル浴は、主としてバレル設備における単個品の金属被覆に合わせて調整されている。
【００１３】
織物のニッケルメッキのためには、これらの浴がリール・ツー・リール設備（ロール・ツー・ロール）において制限された状態でしか使用され得ない。金属被覆において汎用的であるのは、仕上げたい表面が金属被覆プロセスの間、陽極に向けられることである（たとえばバレル設備では回転により）。このことは、添加剤の添加との組合せにおいて、均一な層分配を可能にする。
【００１４】
このことは、リール・ツー・リール設備においては、理論的には２つの陽極の間のベルトガイドにより達成され得る。しかし、織物、特に極微細織物は、電流供給に基づき、かつその小さな質量に基づき、極端に迅速に膨張する性質を有しており、このことは波形形成および内部応力を招く。さらに、上で述べた混合物は、交差点にアンダカットが存在したままとなるか、またはメッシュ開口が過度に強力に閉じるように調和されている。
【００１５】
スクリーン材料の安定性を確保するためには、多くの支持点を備えた細目の構造体が選択される。公知先行技術に基づき公知のこのようなスクリーン材料およびスクリーンは、次のような欠点を有している：織物糸の交差点に角度弱部、すなわちアンダカットが存在する。言い換えれば、織られたスクリーンの安定性は、織物糸の交差点の範囲におけるノッチ作用により制限されてしまう。一般に公知の電気メッキによる被覆プロセスによる増幅された被覆は、解決手段とならない。なぜならば、この場合、織物の開口が塞がり、スクリーン印刷での使用時ではインキ粒子による開口の閉塞が生じる恐れがあるからである。このことは、印刷品質を損なう。
【００１６】
課題設定
したがって、本発明の課題は、公知先行技術に基づき公知のスクリーン材料およびスクリーンの欠点を有しておらず、特にロータリ式のスクリーン印刷のために適しているようなスクリーン材料およびスクリーンを提供することである。スクリーン材料、特に鋼織物は、ロータリ式のスクリーン印刷における使用のために、より高い安定性およびより長い寿命を有することが望まれる。
【００１７】
この課題は、請求項１に記載の特徴を有するスクリーン材料および請求項１１に記載の特徴を有するスクリーンにより解決される。このようなスクリーン材料およびスクリーンは特に有利である。なぜならば、このようなスクリーン材料およびスクリーンはロータリ式のスクリーン印刷固有の要求を考慮していて、かつ慣用のスクリーン材料およびスクリーンに比べて大きな安定性を有するからである。本発明による面状のスクリーン材料は、スクリーン印刷、特にロータリスクリーン印刷における使用のために役立つ。このスクリーン材料は、互いに角度を成して配置されかつ交差点で互いに交差し合った複数のストランドを有しており、これらのストランドは織られた構造体を形成している。この場合、本発明は、織り方やメッシュ形状を問わない。交差点において、ストランドはアンダカットを形成しており、この場合、「アンダカット」とは、互いに交差し合ったストランド、たとえば経糸と緯糸との隣接し合った表面のインナエッジもしくはくびれ部を意味する。したがって、これらのストランドは角度弱部を有しており、この角度弱部は「インナエッジ弱部」とも呼ばれる。ストランドはこの場合、複数の開口を備えた１つのスクリーン構造体が形成されるように配置されている。ストランドの表面のあらゆる個所において、ストランドは、電気メッキプロセスでストランドに析出された金属、特にニッケルから成る、ほぼ一定の厚さの被覆体を有している。本発明によれば、面状のスクリーン材料は、ストランドの交差点の範囲で、ストランドのアンダカットが、前記被覆体に対して付加的に、少なくとも部分的に、電気メッキプロセスで被着された金属から成る補填部を有している。言い換えれば、電気メッキプロセスによって、意図的にアンダカットの範囲に付加的な金属を析出させたことにより、アンダカットが減じられたか、もしくは取り除かれている。これにより、シャープなエッジまたは面取り部なしの表面が得られる。
【００１８】
このような面状のスクリーン材料には、次のような利点がある。すなわち、金属製の補填部により、スクリーン印刷のためにスクリーン材料が使用される際に、流れ抵抗や乱流が低減され、このことはインキの流れ特性改善をもたらす。さらに、アンダカット内で印刷インキが乾燥固着する恐れもなくなる。また、クリーニングプロセスも一層簡単となる。なぜならば、クリーニング液を直接に流過させることが可能となるからである。このことは、クリーニング時間の短縮およびクリーニング液消費量の低減に寄与する。別の利点としては、面状のスクリーン材料の増大された安定性が挙げられる。なぜならば、金属製の補填部によりアンダカットのノッチ作用が低減されるからである。
【００１９】
本発明によるスクリーン材料の特に有利な、つまり特に好適な改良形では、各補填部が、丸み付け部を備えた内縁移行部を形成している。すなわち、金属補填部は、アンダカットの範囲にシャープなエッジまたは面取り部が存在しないように形成されている。補填部が、少なくとも１μｍの半径またはストランドの平均半径（経糸半径と緯糸半径とからの平均値）の少なくとも１／１０の半径を有していると、特に有利である。これにより、スクリーン印刷における使用時にインキがスクリーン材料を問題なく流通し得るようになり、アンダカットの範囲に著しい沈積物が存在せず、スクリーン材料が良好にクリーニングされ得るようになり、しかも高い安定性を有することが確保される。
【００２０】
本発明による面状のスクリーン材料の第１の構成変化形では、スクリーン材料の表面に沿った曲線が、スクリーン材料に対して直角でかつ前記ストランドのうちの１つを通る切断平面で見て、滑らかな曲線を描いている。「滑らかな曲線」とは、数学的意味での滑らかな曲線を意味する。すなわち、連続的でかつ微分可能である曲線、つまり角隅や急激な変化なしの曲線を意味する。
【００２１】
本発明による面状のスクリーン材料の第２の構成変化形では、スクリーン材料の表面に沿った曲線が、スクリーン材料に対して平行でかつ前記ストランドの全てを通る切断平面で見て、滑らかな曲線を描いている。「滑らかな曲線」とは、数学的意味での滑らかな曲線を意味する。すなわち、連続的でかつ微分可能である曲線、つまり角隅や急激な変化なしの曲線を意味する。第１の変化形については、スクリーン材料の上側および／または下側でアンダカットがそれぞれ１つの金属製の補填部を有している。それに対して第２の変化形については、アンダカットがスクリーン材料の平面内でそれぞれ１つの金属製の補填部を有している。有利な改良形では、両構成変化形が互いに組み合わされるので、特に安定的でかつインキ流通に関して最適化された面状のスクリーン材料が形成される。
【００２２】
２つの交差点の間に滑らかな曲線を有する面状のスクリーン材料の有利な改良形では、スクリーン材料の表面に沿った前記曲線が、２つの変曲点を有しており、これらの変曲点が補填部を画定している。「変曲点」とは、数学的な意味での変曲点を意味し、すなわち表面曲線上の、二次導関数の正負符号変化が生じる点を意味する。変曲点はこの場合、少なくとも１μｍの相互間隔および最大でもピッチに相当する相互間隔を有していてよい。ピッチによって、互いに平行な２つの隣接し合ったストランドの中心軸線の間隔が表される。特に変曲点は、１０〜２０μｍの相互間隔を置いて互いに離間されている。この範囲に当てはまる補填部は、一方では製作技術的に良好に形成可能であり、他方では一層高い安定性および面状のスクリーン材料の一層良好な流通特性に課せられた期待に応える。
【００２３】
丸み付け部を備えた補填部のための択一的な別の実施態様では、放物線形の補填部が設けられ、この放物線形の補填部はそれぞれ、それ自体１つのアンダカットを有している。放物線形の補填部では、スクリーン材料が各アンダカットの範囲で特に厚く補填されかつ補強される。
【００２４】
さらに別の択一的な実施態様では、補填部の表面が、スクリーン材料の上側および／または下側で、それぞれほぼ同一の平面に位置するように補填部が形成されている。言い換えれば、金属製の補填部により、ストランドは金属製の補填部内に完全に埋め込まれている。
【００２５】
このスクリーン材料または前で説明したスクリーン材料の改良形では、スクリーン材料が、カレンダ加工プロセスで薄くされた、カレンダ加工された面を備えたスクリーン構造体を有している。「カレンダ加工プロセス」ならびに「カレンダプロセス」とは、一般に圧延過程を意味し、この圧延過程はスクリーン構造体の平坦化を生ぜしめる。このようなカレンダ加工プロセスは、たとえばＤＥ６９１０８０４０Ｔ２に記載されている。
【００２６】
面状のスクリーン材料は、織物、たとえばプラスチック織物または金属線材織物（金網）により形成される。構造体は、いわゆるメッシュの形、たとえば方形メッシュまたは正方形メッシュの形を有している。
【００２７】
ストランドの表面は金属から成っており、この場合、ニッケルが特に有利であり、したがって好適である。金属は電気メッキプロセスにおいてストランド上に析出されている。
【００２８】
上で説明した本発明によるスクリーン材料を製造するためには、特にニッケル含有の１つまたは複数の層を備えた織物構造体が、唯一つの電解質浴から金属被覆されることが有利である。この場合、電解質浴には、交差点を補強するために意図的に有機添加剤が添加され得る。織物の、陽極とは反対の側の織物側を、電界を変化させ、ひいてはニッケル析出に影響を与える非導電体、つまり絶縁体の傍らに通して運動させることにより、ニッケル層の形成にさらに影響が与えられる。織物を絶縁体の傍らに通して運動させる間、織物構造体は絶縁体に接続されている。また、陽極は、その延在長さにわたって織物に対して種々異なる間隔を有するように配置されていてもよい。これによって、織物の表側および裏側の交差点におけるニッケル層分配が最適化され得る。陽極としては、デポライズド純粋ニッケル板またはバスケット内のニッケルペレットが使用され得る。
【００２９】
このような方法および載置式のニッケルメッキプロセス、一次光沢剤および二次光沢剤の固有調量ならびに電解質による的確な流過の組合せを用いて、陽極とは反対の織物側で交差点内に意図的に、より多くのニッケルが析出され得るように電界の電束に影響を与えることができる。
【００３０】
これにより、さらに、織物の個々のストランドが偏心的にニッケルメッキされることを達成することができる。この場合にも、陽極とは反対の側において、より強力な被覆が行われる。
【００３１】
全てのコンポーネントが理想的に調和されていると、被覆を唯１回のプロセスステップで行うことができる。このことは特に、僅か数ミリメートルの薄いニッケル層を被着させる際に有利である。２μｍを上回る厚い層が析出されなければならない場合には、層塗布を複数回のプロセスステップに分割することが好ましい。しかし、この場合、種々異なる電解質浴を不要にすることができる。個々のニッケル層の析出の間に、織物を中間クリーニングすることができる。
【００３２】
さらに本発明は、上で説明したような面状のスクリーン材料から製造されている、ロータリスクリーン印刷用のスクリーンにも関する。この場合、スクリーンは円筒状のスリーブの形を有している。本発明によるスクリーンの有利な改良形では、面状のスクリーン材料が、特に片側でポリマ層、特にフォトポリマ層を備えているので、当業者に知られている方法により画像形成が可能となる。
【００３３】
上で説明した本発明および本発明の前記有利な改良形は、互いに任意に組み合わせた形でも本発明の有利な改良形を成す。
【００３４】
本発明の別の利点および構造上および機能上の点で有利である構成に関しては、従属形式の各請求項ならびに添付図面につき行う実施家血合いの説明を参照するものとする。
【００３５】
実施形態
以下に、本発明を実施形態につき詳しく説明する。
【図面の簡単な説明】
【００３６】
【図１】本発明によるスクリーンを示す斜視図である。
【図２ａ】スクリーン材料をニッケルメッキ前の状態で示す図である。
【図２ｂ】スクリーン材料をニッケルメッキ後の状態で示す図である。
【図３ａ】スクリーン材料に対して直角に断面した断面図である。
【図３ｂ】図３ａの詳細図である。
【図３ｃ】図３ａの詳細を補填前の状態で示す図である。
【図４ａ】アンダカットの補填部の種々の択一的な実施形態を示す断面図である。
【図４ｂ】カレンダ加工された織物のアンダカットの補填部を示す断面図である。
【図５】スクリーン材料の平面内で断面した断面図である。
【図６】ロータリスクリーン印刷用のスクリーンを示す概略図である。
【００３７】
図面中、互いに相応するエレメントおよび構成部分は同じ符号によって示されている。
【００３８】
以下に、本発明によるスクリーン材料を製造する方法および所要の浴組成を例示的に説明する。この場合、電気メッキの際にニッケル３を織物構造体５に被着させることを前提とする。
【００３９】
ニッケルメッキのためのベースとしては、ワットのニッケル電解質浴が使用され得る。このワットのニッケル電解質浴には、好ましくは一次光沢剤と二次光沢剤とが添加される：
ニッケル６０〜９０ｇ／ｌ
塩化物１２〜４５ｇ／ｌ
ホウ酸３０〜５０ｇ／ｌ
浴温度４５〜７０℃
ｐＨ値３.５〜４.８．
析出のためには、好ましくは光沢添加剤、つまり二次光沢形成剤、たとえばブチンジオール誘導体、第四級ピリジニウム誘導体、プロパルギルアルコール、プロピノールプロポキシレート、特にブチンジオール、ならびに一次光沢形成材、たとえばベンゾールスルホン酸、アルキルスルホン酸、アリルスルホン酸、スルホンイミド、スルホンアミドまたは安息香酸スルフィミドが添加される。
【００４０】
二次光沢剤はこの用途の場合、交差点１０の規定された補強のために使用される。この場合、二次光沢剤は所望の補強に応じて０〜０.１５ｇ／ｌの含量で添加され、一次光沢剤は０〜８ｇ／ｌで添加される。
【００４１】
電気メッキ技術において汎用されているように前処理された織物構造体５は、上で説明した浴を用いてニッケルメッキされる。織物構造体５はニッケル浴中で非導電性の載置面を介して搬送される。非導電性の載置面には、織物構造体５の搬送方向に対して直交する方向で、セグメントを装備させることができる。これらのセグメントは運転中に同じく電解質で充填されていて、永続的な電解質交換を確保する。載置された面では、電解質不在によってニッケル析出３が妨げられる。二次光沢担体の相応する添加により、金属析出物３は付加的に意図されて交差点１０に集中する。セグメントを備えたゾーンでは、析出が織物裏側においても行われる。相応する量の二次光沢担体との組合せで、載置された面に対してセグメントを巧みに分配することにより、ニッケル析出３は交差点または裏面全体に分配されて行われ得る。
【００４２】
陽極と、陰極である織物構造体との間での理想的な電解質流により、陽極側では、織物上での析出速度が減じられる。この配置形式では、陽極とは反対の側で、増幅された析出が行われ得ることが判った。
【００４３】
理想的な陽極間隔は陰極に対して１ｃｍ〜４０ｃｍである。この間隔は、織物構造体５が新しい電解質によってまだ十分に強力に流過され得るとともに、高められた陽極間隔による電気的な電圧損失が許容し得るレベルに維持されるという理由から有利である。
【００４４】
ニッケルメッキは、基本的に唯一つのニッケル槽内で行われ得る。しかし、複数のニッケル槽を相前後して配置することも考えられる。
【００４５】
図１には、本発明による面状のスクリーン材料１が図示されている。このスクリーン材料１は片側にフォトポリマ被覆体（感光性重合体被覆体）２を備えている（ダイレクトステンシル）。図示されていない択一的な別の実施形態では、既に画像形成されたフィルムをスクリーン構造体１に被着させることができる（インダイレクトステンシル）。ニッケルメッキされた面状のスクリーン材料１はこの場合、１つの織物から形成されている。
【００４６】
図２ａには、互いに織り合わされたストランド５から形成される面状のスクリーン材料１が図示されている。これらのストランド５は互いに直角にかつ互いに間隔を置いて配置されているので、面状のスクリーン材料１には複数の開口６が形成されている。互いに直角に配置されたストランド５が互いに当接し合っているか、もしくは互いに押し合っている範囲は、「交差点１０」と呼ばれる。電気メッキプロセスにおいてストランド５に被着される金属被覆体３、たとえばニッケルにより、ストランド５は交差点１０において互いに結合される。金属被覆体３はストランド５の表面に沿ってほぼ均一に被着されるので、ストランド５の表面が互いに当接している個所には「アンダカット１１」が生じる。言い換えれば、ストランド５、たとえば経糸５.１と緯糸５.２との互いに隣接し合った表面は、その接触線にインナエッジ（内縁）を形成している。その結果、「角度弱部（Winkelschwaeche）」とも呼ばれるインナエッジ弱部が生じる。このことは、面状のスクリーン材料１の安定性、流通特性およびクリーニング可能性に不都合に作用する。
【００４７】
図２ａには、デカルト座標系ｘｙｚが記載されており、この場合、面状のスクリーン材料１はｘｙ平面に位置している。ｚ軸は、この平面に対して直角に向けられている。
【００４８】
図２ｂには、図２ａからの面状のスクリーン材料１が図示されている。この場合、交差点１０におけるアンダカット１１には、本発明によれば、意図的な析出によりそれぞれ補填部１２が施与されている。意図的な析出はこの場合、特に金属被覆体３の電気メッキによる製作の枠内で行われ得る。アンダカット１１の補填により、面状のスクリーン材料１の特性は、特に安定性、インキ流通およびクリーニング可能性に関して著しく改善される。
【００４９】
図３ａには、ｘｚ平面もしくはｙｚ平面における面状のスクリーン材料１の断面が図示されている。経糸５.１および緯糸５.２は、それぞれ金属被覆体３を備えている。図３ｃに示したように、経糸５.１および緯糸５.２の上側の表面（上側２８）と下側の表面（下側２９）とにおける金属被覆体ａ，ｂ，ｃの層厚さは、一様であるか、または互いに異なっていてよい。金属被覆体３の層厚さａ，ｂ，ｃを互いに異ならせることにより、面状のスクリーン材料１の特性に影響を与えることができる。また、経糸５.１もしくは緯糸５.２の半径２６，２７も、同じ大きさを有しているか、または互いに異なる大きさを有していてよい。これによっても、織物構造に、ひいては面状のスクリーン材料１の特性に、影響を与えることができる。別の幾何学的なサイズとしては、図３ａにおいて、線材長手方向断面を通る中立面２０およびストランド５（この場合は経糸５.１）の２つの中心軸線との間の間隔を表すピッチ２１が図示されている。交差点１０では、図３ｃにおいてなお認められるアンダカット１１が、図３ａに示したように、意図的な析出によって補填部１２を備えている。これにより、丸み付け部１２.１を備えた内縁移行部が得られる。この場合、丸み付け部は半径２５を有する。こうして、インナエッジ、面取り部、切込みもしくはアンダカットが取り除かれており、表面はストランド５の間のなだらかな移行部を有している。
【００５０】
図３ｂに示した詳細図からは、アンダカット１１の補填部１２が良く判る。図３ｂに示した実施形態において、スクリーン材料１の表面に沿った曲線を見てみると、各補填部１２の範囲にそれぞれ２つの変曲点２２が存在していることが判る。この場合、変曲点は数学的な理解での変曲点である。これらの変曲点２２は、間隔２３を置いて互いに離間されていて、補填部１２を画定している。言い換えれば、変曲点２２の間に、アンダカット１１の補填部１２が存在しており、それに対して変曲点２２の外では経糸５.１および緯糸５.２が層厚さａ，ｂ，ｃの汎用の金属被覆体３を備えている。意図的な析出により形成された補填部１２は、両変曲点２２の間のほぼ中間に最大の補填部厚さ２４を有している。この最大の補填部厚さ２４は、補填部１２の表面とアンダカット１１の理論上の頂点との間で測定される。
【００５１】
図４ａには、択一的な別の実施形態の電気メッキによる被覆体ｉ，ｉｉ，ｉｉｉ，ｉｖが図示されている。この実施形態ｉでは、補填部１２が放物線形に形成されている。すなわち、補填部１２の補填厚さは、最初のアンダカット１１の範囲において特に大きく形成されている。しかし、補填部１２は、補填部が引き続き、インナエッジの補填によって形成されるアンダカットを有するように形成されている。
【００５２】
実施形態ｉｉでは、アンダカット１１の補填のために電気メッキによる特に厚い被覆体が被着されている。補填部１２はかさ高に形成されており、この場合、補填部１２の表面は１つの平面３０に位置し、かつ経糸５.１および緯糸５.２は金属被覆体３，１２内に完全に埋め込まれている。これにより、平面３０に位置する平坦な表面を有する面状のスクリーン材料１が提供される。
【００５３】
実施形態ｉｉｉにおいても、アンダカット１１には特に厚い補填部１２が施与されている。既に図３ａにつき説明したように、補填部１２は、丸み付け部１２.１を備えた内縁移行部を有している。しかし、図３ａに示した実施形態とは異なり、この場合には、丸み付け部１２.１が特に大きな半径を有している。
【００５４】
さらに別の実施形態ｉｖによる被覆体は、前で説明した被覆体の実施形態に対して択一的に、または前で説明した被覆体の実施形態と組み合わせて使用され得る。この場合、各経糸５.１もしくは各緯糸５.２の範囲では、増幅された金属被覆が行われるので、金属被覆体３は片側に特に高い層厚さを有する。すなわち、金属被覆体３は偏心的に塗布される。
【００５５】
図４ｂには、強力にカレンダ加工された面状のスクリーン材料１が図示されている。経糸５.１と緯糸５.２とから成る織物に金属被覆体３を施与する前に、この織物は圧延され、したがって扁平にされている。この場合、カレンダ加工された面５.３、すなわち平らにされた面が提供される。カレンダ加工された織物の場合でも金属被覆の後に交差点１０の範囲にアンダカット１１が生ぜしめられるので、前で説明した電気メッキによる被覆のための択一的な実施形態をこの場合にも使用することができる。図示されているように、面状のスクリーン材料１の下側２９ではアンダカット１１がその元の状態のまま残されており、それに対して、面状のスクリーン材料１の上側２８では、アンダカット１１にそれぞれ補填部１２が施与されている。
【００５６】
図５には、ｘｙ平面、すなわち面状のスクリーン材料１の平面における面状のスクリーン材料１の断面図が図示されている。図５の上半部に図示されているように、面状のスクリーン材料１は経糸５.１と緯糸５.２との交差点１０の範囲において、この場合にもアンダカット１１を有している。これらのアンダカット１１には、上で説明したように、かつ図５の下側の範囲に図示したように、やはり補填部１２、すなわち意図された析出部が施与され得る。この場合にも、補填部１２は丸み付け部１２.１を備えた内縁移行部を有していてよい。その場合、補填部１２は２つの変曲点２２により画定されていて、半径２５を有していてよい。
【００５７】
図６には、ロータリ式のスクリーン印刷に用いられる円筒状のスリーブ形状の面状のスクリーン材料１を備えたスクリーン４が図示されている。スクリーン材料１はこの場合、図示されていない端部材によってその円筒状の形状に保持される。スクリーン４の内部には、インキをスクリーン材料１に押し通すためにスキージ（図面には見えていない）が設けられている。スキージの向きはスクリーン４の回転軸線に対して平行であってよい。印刷中におけるスクリーン４の回転Ｕは二重矢印により示されている。
【符号の説明】
【００５８】
１  面状のスクリーン材料
２  ポリマ被覆体
３  金属被覆体（たとえばニッケル）
４  円筒状のスリーブ形状のスクリーン
５  ストランド
５.１  経糸
５.２  緯糸
５.３  カレンダ加工された面
６  開口
１０  交差点
１１  アンダカット
１２  補填部（意図的な析出部）
１２.１  丸み付け部を備えた内縁移行部
２０  線材長手方向断面を通る中立面
２１  ピッチ
２２  変曲点
２３  変曲点間隔
２４  補填部厚さ
２５  半径
２６  経糸半径
２７  緯糸半径
２８  上側
２９  下側
３０  平面
ｉ，ｉｉ，ｉｉｉ，ｉｖ  電気メッキによる被覆体の択一的な実施形態
ｘ，ｙ，ｚ  座標系の軸
ａ，ｂ，ｃ  金属被覆体の層厚さ
Ｕ  スクリーンの回転
【図１】
2015527215.tif 000003
【図２ａ】
2015527215.tif 000004
【図２ｂ】
2015527215.tif 000005
【図３ａ】
2015527215.tif 000006
【図３ｂ】
2015527215.tif 000007
【図３ｃ】
2015527215.tif 000008
【図４ａ】
2015527215.tif 000009
【図４ｂ】
2015527215.tif 000010
【図５】
2015527215.tif 000011
【図６】
2015527215.tif 000012
【国際調査報告】
2015527215.tif 000013
2015527215.tif 000014
2015527215.tif 000015
2015527215.tif 000016